(57)【特許請求の範囲】
【請求項１】
ユーザ装着型の音響信号発生装置であって、
該ユーザの背中に一部が当接するように装着され、音響信号発生部を有するユーザ背面装着部と、
該ユーザ背面装着部に対して一端が結合され、一方と他方とから成る２本の肩掛けベルトと、
ユーザ操作に応じてセンサ出力信号を出力するセンサユニットと、
該肩掛けベルトのうち少なくとも一方の他端に結合され、前記センサユニットから出力されるセンサ出力信号を入力するコネクタを有するユーザ前面装着部と、
前記肩掛けベルトの内部または外面に沿って配設され、前記ユーザ前面装着部と前記ユーザ背面装着部とを電気的に接続し、前記ユーザ前面装着部を介して前記センサユニットから出力されるセンサ出力信号を前記ユーザ背面装着部に供給する線路と
を有し、前記音響信号発生部は、前記線路を介して供給される前記センサ出力信号に応じて音響信号または音響発生の起因となる起因信号を発生することを特徴とする音響信号発生装置。
【請求項２】
前記ユーザ背面装着部は電源ユニットを有するものであり、前記線路は前記ユーザ背面装着部から前記ユーザ前面装着部へ電力を供給するものであることを特徴とする請求項１記載の音響信号発生装置。
【請求項３】
ユーザ装着型の音響信号発生装置であって、
該ユーザの背中に一部が当接するように装着され、電源ユニットを有するユーザ背面装着部と、
該ユーザ背面装着部に対して一端が結合され、一方と他方とから成る２本の肩掛けベルトと、
ユーザ操作に応じてセンサ出力信号を出力するセンサユニットと、
該肩掛けベルトのうち少なくとも一方の他端に結合され、前記センサユニットから出力されるセンサ出力信号を入力するコネクタおよび該センサ出力信号に応じて音響信号または音響発生の起因となる起因信号を発生する音響信号発生部を有するユーザ前面装着部と、
前記肩掛けベルトの内部または外面に沿って配設され、前記ユーザ前面装着部と前記ユーザ背面装着部とを電気的に接続し、前記ユーザ背面装着部から前記ユーザ前面装着部へ電力を供給する線路と
を有することを特徴とする音響信号発生装置。
【発明の詳細な説明】
【０００１】
【発明の属する技術分野】
本発明は、ユーザに装着される音響信号発生装置に関し、特に演奏者の関節の曲げ等、身体の動きに応じて音響信号を発生する電子楽器に用いて好適な音響信号発生装置に関する。
【０００２】
【従来の技術】
【０００３】
従来より、ユーザの身体の動きに応じて楽音信号を発生する電子楽器が知られている。この種の電子楽器においては、関節の曲げ角度等を検出するためにユーザの各部に取りつけられるセンサと、これらセンサが接続される本体部とを有している。本体部は、例えばフットボール用のショルダーパッドに類似した形状に構成される。本体部の内部においては、各センサの出力信号に基づいて楽音信号またはＭＩＤＩ信号を生成する制御ユニットと、該制御ユニットおよび各センサに電源を供給する電源ユニットとが設けられる（実用新案登録第２５８８７１３号公報）。
【０００４】
【発明が解決しようとする課題】
しかし、従来のショルダーパッド型の本体部には、ユーザが激しく運動した時にずれ落ちてしまうという問題があった。この発明は上述した事情に鑑みてなされたものであり、安定してユーザに装着できる音響信号発生装置を提供することを目的としている。
【０００５】
【課題を解決するための手段】
上記課題を解決するため本発明にあっては、下記構成を具備することを特徴とする。なお、括弧内は例示である。
請求項１記載の音響信号発生装置にあっては、ユーザ装着型の音響信号発生装置であって、該ユーザの背中に一部が当接するように装着され、音響信号発生部を有するユーザ背面装着部（１）と、該ユーザ背面装着部に対して一端が結合され、一方と他方とから成る２本の肩掛けベルト（８，１０）と、ユーザ操作に応じてセンサ出力信号を出力するセンサユニット（２２，２６，３２，３６）と、該肩掛けベルトのうち少なくとも一方の他端に結合され、前記センサユニットから出力されるセンサ出力信号を入力するコネクタを有するユーザ前面装着部（左前面ユニット４，右前面ユニット６）と、前記肩掛けベルトの内部または外面に沿って配設され、前記ユーザ前面装着部と前記ユーザ背面装着部とを電気的に接続し、前記ユーザ前面装着部（４，６）を介して前記センサユニット（２２，２６，３２，３６）から出力されるセンサ出力信号を前記ユーザ背面装着部（１）に供給する線路（ケーブル１２，１４）とを有し、前記音響信号発生部は、前記線路（１２，１４）を介して供給される前記センサ出力信号に応じて音響信号（楽音信号）または音響発生の起因となる起因信号（ＭＩＤＩ信号）を発生することを特徴とする。
さらに、請求項２記載の構成にあっては、請求項１記載の音響信号発生装置において、前記ユーザ背面装着部（１）は電源ユニットを有するものであり、前記線路（１２，１４）は前記ユーザ背面装着部（１）から前記ユーザ前面装着部（４，６）へ電力を供給するものであることを特徴とする。
また、請求項３記載の音響信号発生装置にあっては、ユーザ装着型の音響信号発生装置であって、該ユーザの背中に一部が当接するように装着され、電源ユニットを有するユーザ背面装着部（１）と、該ユーザ背面装着部に対して一端が結合され、一方と他方とから成る２本の肩掛けベルト（８，１０）と、ユーザ操作に応じてセンサ出力信号を出力するセンサユニット（２２，２６，３２，３６）と、該肩掛けベルトのうち少なくとも一方の他端に結合され、前記センサユニットから出力されるセンサ出力信号を入力するコネクタおよび該センサ出力信号に応じて音響信号（楽音信号）または音響発生の起因となる起因信号（ＭＩＤＩ信号）を発生する音響信号発生部を有するユーザ前面装着部（左前面ユニット４，右前面ユニット６）と、前記肩掛けベルトの内部または外面に沿って配設され、前記ユーザ前面装着部と前記ユーザ背面装着部とを電気的に接続し、前記ユーザ背面装着部（１）から前記ユーザ前面装着部（４，６）へ電力を供給する線路（ケーブル１２，１４）とを有することを特徴とする。
【０００６】
【発明の実施の形態】
１．実施形態の構成
次に、本発明の一実施形態の電子楽器を図１を参照し説明する。
図において１は背面ユニットであり、台形平板状に形成されている。２はバッテリーパックであり、背面ユニット１に対して着脱可能になっており、電子楽器の各部に電源を供給する。４は左前面ユニット、６は右前面ユニットであり、それぞれユーザによって操作される複数のスイッチ等の操作子が配列されている。８，１０は肩掛けベルトであり、各々の一端は左前面ユニット４および右前面ユニット６に結合され、他端は背面ユニット１に結合されている。
【０００７】
左前面ユニット４の上端および下端には、センサケーブルを接続するためにコネクタ４ａ，４ｂが設けられており、右前面ユニット６の上端および下端には、同様のコネクタ６ａ，６ｂが設けられている。１２はケーブルであり、肩掛けベルト８の内部に埋設され左前面ユニット４と背面ユニット１とを接続する。同様にケーブル１４は、肩掛けベルト１０の内部に埋設され右前面ユニット６と背面ユニット１とを接続する。
【０００８】
この電子楽器をユーザに装着した例を図２および図３に示す。
図２において２２はユーザの左手に装着される左手センサユニットであり、センサケーブル２０を介して左前面ユニット４のコネクタ４ａに接続されている。また、２６はユーザの左足に装着される左足センサユニットであり、センサケーブル２４を介して左前面ユニット４のコネクタ４ｂに接続されている。
【０００９】
同様に、３２はユーザの右手に装着される右手センサユニットであり、センサケーブル３０を介して右前面ユニット６のコネクタ６ａに接続されている。また、３６はユーザの右足に装着される右足センサユニット３６であり、センサケーブル３４を介して右前面ユニット６のコネクタ６ｂに接続されている。
【００１０】
次に、背面ユニット１の背面図および底面図を図４(a)，(b)に示す。これらの図において４０，４２はスペーサであり、各々略長方形状に形成された可撓性の板部４０ａ，４２ａと、該板部４０ａ，４２ａの中央線に沿って設けられ背面ユニット１に固着された２個の円板４０ｂ，４０ｃ，４２ｂ，４２ｃとによって構成されている。これにより、背面ユニット１とユーザとの間に若干の距離が空き、ユーザの汗が背面ユニット１内にしみ込むことが防止される。
【００１１】
４４，４６は肩掛けベルト８，１０用の回転軸であり、背面ユニット１の背面から突出し、肩掛けベルト８，１０（図示せず）を回動可能に軸支する。回転軸４４，４６の突出長はスペーサ４０，４２の突出長よりも若干短くなっている。これにより、背面ユニット１をユーザに装着した際に肩掛けベルト８，１０の回動が阻害されにくくなる。また、４８はＭＩＤＩ出力端子、５０は音声出力端子であり、背面ユニット１の底面に設けられ、各センサユニットの出力値に応じたＭＩＤＩ信号および音声信号（楽音信号）を各々出力する。
【００１２】
本実施形態においては、背面ユニット１を略平板状に形成したから、ユーザがこれを装着した際にぴったりと背中にフィットさせることができる。また、背面ユニット１、左右前面ユニット４，６の重量を適切に配分することにより、体に吸いつくようなフィット感が得られる。
【００１３】
この場合、肩掛けベルト８，１０に質量を集中させるよりも、なるべく各ユニット１，４，６に質量を配分した方が安定感が増す。すなわち、
「ユニット１，４，６の合計質量  ＞  肩掛けベルト８，１０の合計質量」
となるように質量を設定しておくことが望ましい。
【００１４】
２．変形例
本発明は上述した実施形態に限定されるものではなく、例えば以下のように種々の変形が可能である。
（１）ユーザの胴回りに沿って上記背面ユニット１、左前面ユニット４および右前面ユニット６を結ぶ他のバンドを設けてもよい。これにより、上記各ユニットがユーザにしっかりと固定されるから、例えばユーザが逆立ちしたり一層激しく動いた場合においても、各ユニットが外れる等の不具合を未然に防止することができる。
【００１５】
（２）本発明は、電子楽器等の音響信号発生装置を少なくとも一個のユーザ背面装着部と少なくとも１個のユーザ前面装着部に分割するものであるから、ユーザ背面装着部およびユーザ前面装着部の内部の回路構成はどのようなものであってもよい。例えば、ユーザ背面装着部には電源のみを設け、その他の全ての回路をユーザ前面装着部に設けてもよい。
【００１６】
（３）上記実施形態において、背面ユニット１の上部に小型スピーカを設け、音声出力端子５０から出力される楽音信号を発音させるようにしてもよい。背面ユニット１の上端部はユーザの耳に比較的近くなるから、スピーカの再生音量が小さい場合においても、ユーザは充分に楽音信号をモニタすることができる。これにより、リハーサル等を行う場合には外付けのサウンドシステムを設ける必要がなくなる。
【００１７】
（４）上記実施形態において、出力されるＭＩＤＩ信号または楽音信号を変調して送信する無線送信機を設けてもよい。これにより、ワイヤレスでＭＩＤＩ信号または楽音信号を外部の音源またはサウンドシステムに送信することができ、ユーザの動きの自由度が一層向上する。
【００１８】
（５）上記実施形態においては、肩掛けベルト８，１０の内部にケーブル１２，１４を埋設したが、これらを肩掛けベルト８，１０の表面に沿って配設してもよいことは言うまでもない。
【００１９】
（６）上記実施形態は本発明を電子楽器に用いた例を示したが、本発明の音響信号発生装置は電子楽器に限定されるものではない。また、音響信号および起因信号もその用途に応じたものになり、楽音信号やＭＩＤＩ信号に限定されるわけではない。
例えば、本発明は携帯用のＣＤプレーヤに適用することができる。この例において音響信号とはＣＤの再生音声信号であり、起因信号としてはＣＤの再生ＥＦＭ信号等になる。
【００２０】
また、本発明をトランシーバや携帯電話器に適用してもよく、その場合、音響信号は受信電波の復調信号等になる。また、ユーザの動きに応じて競技を進行させるような球技や格闘技等のシミュレーションゲームの入力装置として本発明を適用することができる。この場合、ユーザの動きに応じて本発明の装置が打撃音等を発生させるのであれば、この打撃音は「音響信号」に他ならないものである。
【００２１】
ここで、ユーザの各部に装着されたセンサの検出信号を増幅して、別体のゲーム機の本体に該検出信号を送信するユーザ装着ユニットとして本発明を適用することもできる。この場合、ゲーム機本体においてはセンサの検出信号に応じて打撃音等を発生させることになるから、該センサの検出信号は、音響信号を発生させる起因となる「起因信号」に他ならない。
【００２２】
【発明の効果】
以上説明したように本発明によれば、激しい動きに対しても、各ユニットを安定してユーザに装着することができる。
【図面の簡単な説明】
【図１】  本発明の一実施形態の電子楽器の外観図である。
【図２】  上記実施形態の電子楽器の装着例（前面）を示す図である。
【図３】  上記実施形態の電子楽器の装着例（背面）を示す図である。
【図４】  背面ユニット１の外観を示す図である。
【符号の説明】
１……背面ユニット、２……バッテリーパック、４……左前面ユニット、４ａ，４ｂ，６ａ，６ｂ……コネクタ、６……右前面ユニット、８，１０……肩掛けベルト、１２，１４……ケーブル、２０，２４，３０，３４……センサケーブル、２２……左手センサユニット、２６……左足センサユニット、３２……右手センサユニット、３６……右足センサユニット、４０，４２……スペーサ、４０ａ，４２ａ……板部、４０ｂ，４０ｃ，４２ｂ，４２ｃ……円板、４４，４６……回転軸、４８……ＭＩＤＩ出力端子、５０……音声出力端子。
【図１】
0003843685.tif 000002
【図２】
0003843685.tif 000003
【図３】
0003843685.tif 000004
【図４】
0003843685.tif 000005